(57)【要約】【課題】対象物の接続面に対して接着剤を用いずに、固定物の接続及び取り外しが自在な技術を提供する。【解決手段】水を介して対象物の接続面と接続されるベース部と、前記ベース部の表面に設けられ、所定の固定物を接続自在な固定領域と、前記ベース部の外周端部又は外周端部近傍に設けられ、前記ベース部を前記対象物の接続面から取り外す際に、前記ベース部の取り外しを補助する切欠部と、を備える。【選択図】図１
2013095104.tif 000002
【特許請求の範囲】
【請求項１】
水を介して対象物の接続面と接続されるベース部と、
前記ベース部の表面に設けられ、所定の固定物を接続自在な固定領域と、
前記ベース部の外周端部又は外周端部近傍に設けられ、前記ベース部を前記対象物の接続面から取り外す際に、前記ベース部の取り外しを補助する切欠部と、を備える固定装置。
【請求項２】
前記ベース部は、シート状である、請求項１に記載の固定装置。
【請求項３】
前記固定領域に接続される前記所定の固定物を更に備える請求項１又は２に記載の固定装置。
【請求項４】
前記切欠部は、前記ベース部の外周端部近傍又は外周縁に形成された凹凸部、前記ベース部の外周端部近傍に形成された溝、前記ベース部の外周端部近傍に形成された貫通孔のうち少なくとも何れか一つを含む、請求項１から３の何れか１項に記載の固定装置。
【請求項５】
前記ベース部は、シート状であり、
前記固定装置は、該固定装置を巻き付ける筒部を更に備え、
前記筒部は、該筒部の表面に設けられ、前記ベース部と付着自在な材質からなる表面部を有する、請求項１、３、４の何れか１項に記載の固定装置。
【請求項６】
請求項１から５の何れか１項に記載の固定装置を対象物に固定する際に用いる補助装置であって、
把持部としての本体部と、
前記本体部に設けられ、前記対象物の接続面と前記固定装置のベース部との間に介在する水と空気を排出させる排出部とを備え、
前記補助装置は、
前記排出部とは異なる位置に設けられ、前記対象物の接続面の付着物を取り除く除去部と、前記対象物の接続面に前記ベース部を接続する際の水を塗布する塗布部と、のうち少なくとも何れか一つを更に備える補助装置。
【請求項７】
水を介して対象物の接続面と接続されるベース部と、
前記ベース部の表面に設けられ、所定の固定物を接続自在な固定領域と、
前記ベース部の外周端部又は外周端部近傍に設けられ、前記ベース部を前記対象物の接続面から取り外す際に、前記ベース部の取り外しを補助する切欠部と、を備える固定装置を用いた固定方法であって、
前記対象物の接続面に水を塗布する塗布工程と、
水が塗布された前記対象物の接続面に、前記固定装置を接続する接続工程とを備える固定方法。
【発明の詳細な説明】
【技術分野】
【０００１】
本発明は、固定装置、補助装置、及び固定方法の技術に関する。
【背景技術】
【０００２】
粘着剤、のり、接着剤、吸盤等を用いずに、対象物の滑らかな面に対して固定物を接続する方法が知られている。例えば、特許文献１には、フィルム（固定物）を基材（対象物）へ接着する方法として、フィルムと基材との間に泡が閉じ込められないように充分な量の液体をフィルムと基材との間に配置することが開示されている。
【先行技術文献】
【特許文献】
【０００３】
【特許文献１】特表２００８−５２８３２９号公報
【発明の概要】
【発明が解決しようとする課題】
【０００４】
フィルムと基材との間に液体を介在させ、フィルムを基材へ接着する従来技術が知られている。しかしながら、この従来技術では、フィルムと基材との間に介在させる液体は、接着剤成分を含んでいる。また、この従来技術は、接着することを目的とするものであり、一旦接着したフィルムを基材から取り外す（剥がす）ことを意図したものではない。従って、基材に接着されたフィルムを取り外すのは困難である。
【０００５】
本発明は、上記の問題に鑑み、対象物の接続面に対して接着剤を用いずに、固定物の接続及び取り外しが自在な技術を提供することを課題とする。
【課題を解決するための手段】
【０００６】
本発明は、上述した課題を解決するため、以下の手段を採用する。すなわち、本発明は、固定装置であり、水を介して対象物の接続面と接続されるベース部と、前記ベース部の表面に設けられ、所定の固定物を接続自在な固定領域と、前記ベース部の外周端部又は外周端部近傍に設けられ、前記ベース部を前記対象物の接続面から取り外す際に、前記ベース部の取り外しを補助する切欠部と、を備える。
【０００７】
本発明では、ベース部と対象物との接続の際にベース部と対象物との間に水を介在させ、更に、ベース部と対象物の接続面との間の水と空気が排出される。その結果、容易かつ確実にベース部と対象物の接続面とを接続することができる。また、ベース部と対象物との接続の際にベース部と対象物との間に介在させる水は、接着剤成分を含まない。そのため、ベース部を含む固定装置を対象物の接続面から容易に取り外すことができる。更に、ベース部には、切欠部が設けられており、この切欠部がベース部を対象物の接続面から取り外す際に取り外しを補助する領域として機能する。そのため、ベース部を対象物の接続面から更に容易に取り外すことができる。また、固定領域には、所定の固定物を自由に固定することができる。なお、対象物の表面には、車両のボディ、ガラス面、浴室の壁、鏡面など、凹凸が少ない面が例示される。
【０００８】
本発明の固定装置において、ベース部はシート状としてもよい。ベース部をシート状とすることで、本発明の固定装置は、例えば車両の除雪装置や遮光装置として用いることができる。例えば、冬場（特に寒冷地）であれば、駐車時に固定装置を車両のボディやガラス面に接続して車両を本発明の固定装置で覆い、運転時に固定装置を取り外すことで車両に降り積もった雪や車両に付着した霜を容易に取り除くことができる。また、例えば、ベ
ース部を有色とすることで、夏場であれば、駐車時に固定装置を車両のボディやガラス面に接続して本発明の固定装置で車両を覆うことで、紫外線から車両を守り、また、室内の温度上昇を抑制することができる。また、季節に関わらず、固定装置に広告を付すことで、固定装置を広告として機能させることができる。更に、例えば固定装置の固定領域には、小物や容器などを載置したり引っ掛けたりするための台座やフック等を設けることができる。台座やフックは、本発明の所定の固定物の一例である。従って、本発明の固定装置は、対象物に対して所定の「固定物」を固定するための固定装置として用いることもできる。なお、ベース部は立体形状としてもよい。立体形状は、例えば固定装置を対象物に対して所定の「固定物」を固定するための固定装置として用いる際、固定する固定物の種類や用途に応じて適宜設計することができる。
【０００９】
また、本発明の固定装置は、前記固定領域に接続される前記所定の固定物を更に備える構成としてもよい。所定の固定物を備えることで、固定装置は、接続される固定物の機能を発揮することができる。所定の固定物には、台座やフックなどが例示される。
【００１０】
また、固定領域は、外周端部がベース部の表面上に位置していることが好ましい。外周端部がベース部の表面上に位置するとは、換言すると、固定領域の外郭がベース部の外郭よりも一回り小さく形成されていることを意味する。固定領域がベース部の端部まで達していると、固定領域に固定物を固定した際に、固定部の収縮や風などの外的要因によってベース部の端部が対象物から剥がれることが懸念される。本発明では、固定領域は、外周端部がベース部の表面上に位置していることから、ベース部の端部が対象物から剥がれるのを抑制することができる。
【００１１】
ここで、前記切欠部は、前記ベース部の外周端部近傍又は外周縁に形成された凹凸部、前記ベース部の外周端部近傍に形成された溝、前記ベース部の外周端部近傍に形成された貫通孔のうち少なくとも何れか一つを含むものとしてもよい。ベース部を上記のようにすることで、ベース部を対象物の接続面から取り外す際の抵抗が軽減される。すなわち、切欠部がない場合と比較してベース部の面積が少なくなることで、ベース部を対象物の接続面から取り外す際の抵抗が低減される。その結果、ベース部を対象物の接続面から容易に取り外すことが可能となる。
【００１２】
また、本発明の固定装置は、該固定装置を巻き付ける筒部を更に備え、前記筒部は、該筒部の表面に設けられ、前記ベース部と付着自在な材質からなる表面部を有するものでもよい。筒部を備えることで固定装置を筒部に巻き付けることが可能となり、固定装置を保管する際に起こりうる、固定装置の皺や折り目の発生を抑制することができる。また、固定装置を筒部に巻き付けた状態で作業を行うことで作業性が向上する。更に、筒部の表面をベース部と付着自在な材質とすることで、固定装置を筒部に巻き付ける作業及び筒部に巻き付けられた固定装置を外す際の作業を容易に行うことができる。付着自在とは、換言すると、接続状態が維持されるが、一定の外力を加えると接続状態が解除されることを意味する。
【００１３】
ここで、本発明は、上述した固定装置を対象物に固定する際に用いる補助装置としてもよい。すなわち、本発明は、上述した固定装置を対象物に固定する際に用いる補助装置であって、把持部としての本体部と、前記本体部に設けられ、前記対象物の接続面と前記固定装置のベース部との間に介在する水と空気を排出させる排出部とを備え、前記補助装置は、前記排出部とは異なる位置に設けられ、前記対象物の接続面の付着物を取り除く除去部と、前記対象物の接続面に前記ベース部を接続する際の水を塗布する塗布部と、のうち少なくとも何れか一つを更に備える。
【００１４】
本発明の補助装置によれば、固定装置を対象物の接続面に接続する作業を容易に行うこ
とができる。また、本発明の補助装置によれば、ベース部との間に介在する水と空気を排出することができる。更に、対象物の接続面の付着物の除去と、対象物の接続面への水の塗布とのうち、少なくとも何れか一つの作業を一つの補助装置で行うことができる。
【００１５】
ここで、本発明は、上述した固定装置を用いた固定方法として特定することもできる。すなわち、本発明は、水を介して対象物の接続面と接続されるベース部と、前記ベース部の表面に設けられ、所定の固定物を接続自在な固定領域と、前記ベース部の外周端部又は外周端部近傍に設けられ、前記ベース部を前記対象物の接続面から取り外す際に、前記ベース部の取り外しを補助する切欠部と、を備える固定装置を用いた固定方法であって、前記対象物の接続面に水を塗布する塗布工程と、水が塗布された前記対象物の接続面に、前記固定装置を接続する接続工程とを備える。
【発明の効果】
【００１６】
本発明によれば、対象物の接続面に対して接着剤を用いずに、固定物の接続及び取り外しができる。
【図面の簡単な説明】
【００１７】
【図１】実施形態に係る固定装置の斜視図を示す。
【図２】図１のａ−ａ断面図を示す。
【図３】筒部に巻き付けられた固定装置を示す。
【図４】実施形態に係る補助装置の一例を示す。
【図５】実施形態に係る補助装置の他の例を示す。
【図６】固定装置を接続する工程を示す。
【図７】固定装置を接続する様子を示す。
【図８】貫通孔を利用して固定装置を取り外す様子を示す。
【図９】第一変形例に係る固定装置を示す。
【図１０】切り込みの形状の一例を示す。
【図１１】切り込みの形状の他の例を示す。
【図１２Ａ】第二変形例に係る固定装置を示す。
【図１２Ｂ】ベース部が対象物から剥がれる様子を示す。
【図１２Ｃ】第二変形例に係る固定装置におけるめくり抑制部によって、ベース部が対象物から剥がれるのが抑制される様子を示す。
【図１３】第三変形例に係る固定装置を示す。
【図１４】第四変形例に係る固定装置を示す。
【図１５】第五変形例に係る固定装置を示す。
【図１６】第六変形例に係る固定装置を示す。
【図１７】第六変形例に係る固定装置を取り外す様子を示す。
【発明を実施するための形態】
【００１８】
次に、本発明の実施形態について図面に基づいて説明する。なお、以下で説明する実施形態は本発明を実施するための例示であり、本発明は以下で説明する態様に限定されない。
【００１９】
＜構成＞
≪固定装置≫
図１、図２に示すように、実施形態に係る固定装置１は、ベース部２、固定物３を備える。なお、固定装置１は、固定物３を省略してより簡易な構成としてもよい。実施形態に係る固定装置１は、ベース部２と対象物Ａの接続面との間に水を介在させることで、ベース部２と対象物Ａの接続面との間の空気を排出して、容易かつ確実にベース部２と対象物Ａの接続面とを接続する（図２参照）。水は、接着剤、のり、粘着剤などの成分を含まな
いもので、水には、水道水、雨水、雪解け水、霜解け水、飲料水、不凍液が例示される。対象物Ａの表面は、凹凸が少ない面であることが好ましく、対象物の表面には、車両のボディ、ガラス面、浴室の壁、鏡面、プラスチック(ポリプロピレン)面、金属面、大理石面・人工大理石面、更にこれらの表面を覆うフィルムや塗料によって構成される面が例示される。
【００２０】
ベース部２は、樹脂製シートによって構成されており、対象物Ａの接続面と接続される。ベース部２の形状や大きさは、対象物Ａや用途に応じて適宜設計することができる。実施形態に係るベース部２は、平面視矩形状である。ベース部２の材質には、ポリ塩化ビニル、塩化ビニルモノマー、ポリエチレン、ポリプロピレン、ＡＴＢＣ−ＰＶＣ、ＴＰＲ樹脂が例示される。なお、ベース部２は、これらの樹脂を重合したものでもよい。なお、ベース部２は、透明、半透明の他、有色でもよく、また、これらを組み合わせたものでもよい。
【００２１】
ベース部２の表面上には、固定物３が接続される固定領域２９が設けられている。固定領域２９は、ベース部２の外郭よりも一回り小さく形成されており、矩形状である。また、ベース部２の一辺の近傍には、本発明の切欠部に相当する細長い貫通孔２１が形成されている。貫通孔２１が設けられることで、貫通孔２１がない場合と比較して固定部の面積が少なくなり、ベース部２を対象物Ａの接続面から取り外す際の抵抗が低減される。その結果、ベース部２を対象物Ａの接続面から容易に取り外すことができる。貫通孔２１は、例えばベース部２の端から１ｍｍ内側に設けることができる。貫通孔２１の幅は、数ミリ程度、貫通孔２１の長さは数十ミリ程度とすることができる。また、貫通孔２１の端部は、角部を円形状にしてもよい。これにより、角部よりも負荷が分散され、貫通孔２１が裂けるのが抑制される。なお、取り外し方法については、後述する固定装置１の使用方法で説明する。
【００２２】
本実施形態の固定物３は、樹脂製シートによって構成されている。樹脂製シートには、広告、文字、模様などを施すことができる。ベース部２と固定物３との接続は、接着剤、両面テープ、面ファスナなど既存の技術によって行うことができる。固定物３は、外郭がベース部２の外郭よりも一回り小さく形成され、固定領域２９の外郭と凡そ一致している。例えば、固定物３は、その外郭が、ベース部２の外郭から１ｍｍ内側に位置するように、一回り小さく形成することができる。固定物３の外郭がベース部２の外郭よりも一回り小さく形成されることで、風などの外的要因によってベース部２の端部が対象物Ａから剥がれるのを抑制することができる。なお、固定物３の形状や大きさは、対象物や用途に応じて適宜設計することができる。固定物３は、立体的形状を有するものでもよい。実施形態に係る固定物３は、平面視矩形状である。固定物３を樹脂製シートとする場合、材質は、ポリ塩化ビニル、塩化ビニルモノマー、ポリエチレン、ポリプロピレン、ＡＴＢＣ−ＰＶＣ、ＴＰＲ樹脂とすることができる。また、固定物３は、これらの樹脂を重合したものでもよい。なお、固定物３は、透明、半透明の他、有色でもよく、また、これらを組み合わせたものでもよい。
【００２３】
なお、固定物３は、目的に応じて材質、形状、色などを適宜設計することができる。固定物３は、例えば見せる、聞かせる、触らせる、装飾する、物を置く、物を掛ける、読ませる、保護する、といった目的に応じて使い分けることができる。例えば、１）見せるものとしては、デイスプレイ物、テレビ、モニター、スクリーン、時計、インテリア、看板、イルミネーション、のぼり、旗、フォトフレーム、２）聞かせるものとしては、スピーカー、ラジオ、CDプレーヤー、３）触らせるものとしては、パソコン、ホワイトボード、コルクボード、文房具、４）装飾するものとしては、花瓶、花、リボン、帽子、ネクタイ、化粧品、芳香剤、５）物を置くものとしては、ラック、棚、ティシュボックス、キャンドル立て、ドリンクホルダー、調理具、掃除具、洗浄剤、６）物を掛けるものとしては、
フック、物干用具、タオル掛、お風呂用具、キッチン用具、調味料、ライト、７）読ませるものとしては、広告物、宣伝物、掲示物、描写物、書類、表示物、印刷物、プリント物、ポスター、パネル、本、雑誌、パンフレット、チラシ、カレンダー、８）保護するものとしては、加湿材、加湿器、除湿材、除湿器、防凍結材、防露材、緩衝材、防音材、保温材、遮光材、断熱材、アルミシート、シール、ラミネート材、ラベル、防犯具などである。また、上記固定物３には、上記例示される固定物を固定する固定部材も含まれる。
【００２４】
ここで、図３は、筒部４に巻き付けられた固定装置１を示す。筒部４は、筒状であり、表面にベース部２と同じ材質からなる表面部を有している。筒部４を備えることで固定装置１を筒部４に巻き付けることが可能となり、固定装置１の皺や折り目の発生を抑制することができる。また、筒部４の表面をベース部２と同じ材質とすることで、両者が付着自在となり、固定装置１を筒部４に巻き付ける作業及び筒部に巻き付けられた固定装置１を外す際の作業を容易に行うことができる。
【００２５】
≪補助装置≫
図４は、実施形態に係る補助装置の一例を示す。図４に示す、第一の補助装置５は、把持部としての本体部５１、ブラシ５４、塗布部５５、スクイージ５６を備える。
【００２６】
本体部５１は、把持される部分であり、平面視長方形である。本体部５１には、把持する際に、手指を引っ掛ける、楕円状の貫通孔からなる大孔５２及び中孔５３が設けられている。本体部５１は、把持や、ブラシ５４、塗布部５５、スクイージ５６を支持するのに十分な強度を有する硬質部材によって構成される。硬質部材には、プラスチック、金属などが例示される。なお、本体部５１は、その内部を中空とし、塗布部５５に吸水させる水を貯蔵できるようにしてもよい。
【００２７】
ブラシ５４は、本発明の除去部に相当し、本体部５１の一方の短辺に設けられ、対象物Ａの接続面の付着物を取り除く。ブラシ５４を対象物Ａの接続面に押しつけてスライドすることで対象物Ａの接続面に付着した付着物を取り除くことができる。付着物には、雪、霜、埃、塵などが例示される。なお、ブラシ５４に代えて、若しくはブラシ５４と共に、本発明の除去部としての「へら」を設けてもよい。
【００２８】
塗布部５５は、本体部５１の他方の短辺に設けられ、ベース部２を対象物Ａの接続面に接続する際の水を対象物Ａの接続面に塗布する。塗布部５５は、吸水性を有する、スポンジ、フェルト、布等によって構成される。吸水した塗布部５５を対象物Ａの接続面に押しつけてスライドすることで水が押し出され、対象物Ａの接続面に水を塗布することができる。
【００２９】
スクイージ５６は、本発明の排出部に相当し、本体部５１の両長辺に設けられ、対象物Ａの接続面とベース部２との間に介在する水と空気を排出させる。スクイージ５６は、本体部５１と同じ硬質部材をフェルトや布で覆うことで構成される。なお、ブラシ５４、塗布部５５、スクイージ５６を設ける位置は、適宜変更することができる。
【００３０】
図５は、実施形態に係る補助装置の他の例を示す。図５に示す、補助装置６は、把持部としての本体部６１、ブラシ６４、塗布部６５、スクイージ６６を備える。
【００３１】
本体部６１は、把持される部分であり、棒状である。棒状の本体部６１は、例えば径の異なる筒状の部材を重ね、長さを調整できるようにしてもよい。また、本体部６１は、その内部を中空とし、塗布部６５に吸水させる水を貯蔵できるようにしてもよい。
【００３２】
ブラシ６４は、棒状の本体部６１の一端に支持部６２を介して設けられ、対象物Ａの接
続面の付着物を取り除く。図５に示す補助装置６は、棒状の本体部６１の一端に板状支持部６２が直交するように接続され、支持部６２の一端はブラシ６４の基端部が埋め込まれて固定されている。また、支持部６２の他端には円柱状の塗布部６５が設けられている。円柱状の塗布部６５には、長手方向に沿って溝部６３が設けられており、この溝部６３に支持部６２の他端が埋め込まれて固定されている。塗布部６５は、吸水性に優れたスポンジによって構成されている。ブラシ６４を対象物Ａの接続面に押しつけてスライドすることで接続面に付着した付着物を取り除くことができる。なお、ブラシ６４に代えて、若しくはブラシ６４と共に、本発明の除去部としてへらを設けてもよい。吸水した塗布部６５を対象物Ａの接続面に押しつけてスライドすることで水が押し出され、対象物Ａの接続面に水を塗布することができる。
【００３３】
棒状の本体部６１の他端には、断面Ｌ字状の支持部６７の角部が接続されている。Ｌ字状の支持部６７の角部に沿った直線方向と棒状の本体部６１の軸方向は直交している。Ｌ字状の支持部６７の両方の先端には、対象物Ａの接続面とベース部２との間に介在する水と空気を排出させるスクイージ６６が設けられている。スクイージ６６は、支持部６７と同じ硬質部材をフェルトや布で覆うことで構成される。スクイージ６６を対象物Ａの接続面に押しつけてスライドすることで、対象物Ａの接続面とベース部２との間に介在する水と空気を排出できる。なお、L字状の支持部６７の内角は、９０度である必要はない。L字状の支持部６７に代えて、断面視直線状のプレートを用いてもよい。
【００３４】
＜固定装置の使用方法＞
≪接続≫
次に上述した実施形態に係る固定装置１の使用方法について説明する。以下の説明では、一例として、補助装置５を用いて、固定装置１を対象物Ａとしての車両のガラス面に接続する（貼り付ける）場合について説明する。
【００３５】
図６は、固定装置を接続する工程を示す。除去工程（Ｓ０１）では、対象物Ａとしての車両のガラス面の付着物（雪、霜、埃、塵など）が除去される。付着物の除去は、例えば、上述した実施形態に係る補助装置５のブラシ６４を用いて行うことができる（図７（ａ）参照）。付着物の除去は、既存の布やブラシ等を用いて行ってもよい。
【００３６】
塗布工程（Ｓ０２）では、対象物Ａとしての車両のガラス面に水が塗布される。水の塗布は、例えば、上述した実施形態に係る補助装置６の塗布部６５に水を含ませて行うことができる（図７（ｂ）参照）。水には、水道水の他、雨水、雪解け水、霜解け水、飲料水、不凍液を用いることができる。水の塗布は、既存の布やスポンジ等を用いて行ってもよい。また、水の塗布は、霧吹きを用いてガラス面に水を噴霧してもよい。更に、水の塗布は、ベース部２に対して行うようにしてもよい。
【００３７】
接続工程（Ｓ０３）では、対象物Ａとしての車両のガラス面に固定装置１が接続される。固定装置１は、筒部４に巻き付けたものを用いることで、皺の発生を抑制することができる（図７（ｃ）参照）。固定装置１をガラス面に接続したら、補助装置６のスクイージ６６をガラス面に押しつけながらスライドさせて、ガラス面と固定装置１との間に介在する水と空気を排出させる（図７（ｄ）参照）。なお、固定装置１の接続には、既存のスクイージを用いてもよい。以上により、固定装置１が対象物Ａとしての車両のガラス面に接続される。
【００３８】
以上により、固定装置１を対象物Ａとしての車両のガラス面に接続することができる。固定装置１をガラス面に接続することで、ガラス面を保護することができる。また、冬場（特に寒冷地）であれば、駐車時に固定装置１を車両のガラス面に接続して車両のガラス面を固定装置１で覆い、運転時に固定装置１を取り外すことで車両に降り積もった雪や付
着した霜を容易に取り除くことができる。また、ベース部２又は固定物３を有色とすることで、夏場であれば、車両の室内の温度上昇を抑制することができる。
【００３９】
≪取り外し≫
固定装置１の取り外しは、ベース部２に設けられた貫通孔２１を利用して行うことができる。ここで、図８は、貫通孔２１を利用して固定装置を取り外す様子を示す。図８の左側は平面図、図８の右側は断面図を示す。まず、固定装置１のベース部２の端部に対して、貫通孔２１の長手方向と直交する方向に指先などで外力を加える（図８（ａ）参照）。貫通孔２１が設けられた領域は、ベース部２の面積が他の領域と比較して小さいことから、抵抗が小さく、その結果、貫通孔２１の長手方向に沿って湾曲し、浮き上がる（図８（ｂ）参照）。貫通孔２１が設けられた領域が浮き上がることで、ベース部２の端がめくれ、ベース部２の端を指で摘むことが可能となる（図８（ｃ）参照）。
【００４０】
以上により、対象物Ａとしての車両のガラス面に接続された固定装置１を容易に取り外すことができる。その結果、例えば、冬場（特に寒冷地）であれば、車両のガラス面に降り積もった雪や付着した霜を容易に取り除くことができる。
【００４１】
＜効果＞
以上説明した実施形態に係る固定装置１によれば、ベース部２と対象物Ａとの接続の際にベース部２と対象物Ａとの間に水を介在させることで、ベース部２と対象物Ａの接続面との間の空気を排出して、容易かつ確実にベース部２と対象物Ａの接続面とを接続することができる。また、ベース部２と対象物Ａとの接続の際にベース部２と対象物Ａとの間に介在させる水は、接着剤成分を含まないため、ベース部２を含む固定装置１を対象物Ａの接続面から容易に取り外すことができる。更に、ベース部２には、貫通孔２１が設けられており、この貫通孔２１がベース部２を対象物Ａの接続面から取り外す際に取り外しを補助する領域として機能するため、ベース部２を対象物Ａの接続面から更に容易に取り外すことができる。また、固定物３の外郭がベース部の外郭よりも一回り小さく形成されていることから、風などの外的要因によってベース部２の端部が対象物Ａの接続面から剥がれるのを抑制することができる。
【００４２】
また、固定装置１の接続に補助装置５を用いることで、固定装置１を対象物Ａの接続面に接続する作業を容易に行うことができる。また、実施形態に係る補助装置５は、一つの装置で、付着物の除去、水の塗布、接続時の擦圧を行うことができる。
【００４３】
＜変形例＞
≪第一変形例≫
図９は、第一変形例に係る固定装置を示す。第一変形例に係る固定装置１は、本発明の切欠部に相当するものとして、上述した細長い貫通孔２１の他、凹凸部２２、切り込み２３，２４，２５、円形の貫通孔２６を備える。なお、説明の便宜上、図９に示す第一変形例に係る固定装置１は、多種多様の切欠部を備えるが、これらの切欠部は少なくとも何れか一つを備える構成とすることができる。
【００４４】
凹凸部２２は、ベース部２の長辺に形成された波線部からなる。切り込み２３は、ベース部２の短辺に形成され、短辺と直交する複数の切り込みである。切り込み２４は、ベース部２の短辺の内側に形成され、短辺と平行な直線状の切り込みである。切り込み２５は、ベース部２の短辺の内側に形成された曲線状の切り込みである。円形の貫通孔２６は、ベース部２の角部の内側に形成された、円形状の貫通孔である。
【００４５】
凹凸部２２、切り込み２３，２４，２５、円形の貫通孔２６などの切欠部を設けることで、切欠部が設けられた領域における対象物Ａの接着面とベース部２との接着力が小さく
なる。その結果、ベース部２の端部に向けて指をスライドさせるなどして外力を加えるだけで、ベース部２を対象物Ａの接続面から容易に取り外すことができる。
【００４６】
ここで、図１０は、切り込みの形状の一例を示し、図１１は、切り込みの形状の他の例を示す。図１０に示すように、切り込み２４は、ベース部２の表面と直交せず、ベース部２の表面に対して斜めに形成してもよい。切り込み２４を斜めに形成することで、ベース部２の端部に外力を加えた際、ベース部２の端部側が斜めの切り込み２４に沿って斜め上方に移動しやすくなる。従って、切り込み２４をベース部２の表面と直交する方向に形成した場合よりも、容易に固定装置１を取り外すことができる。なお、切り込み２４は、図１１に示すように貫通していなくてもよい。
【００４７】
≪第二変形例≫
図１２Ａは、第二変形例に係る固定装置を示す。第二変形例に係る固定装置１は、ベース部２が対象物Ａから剥がれるのを抑制するめくり抑制部７を更に備える。例えば、固定物３がベース部２と接触した際に接続状態が維持され易い（くっつき易い）材質で構成されている場合、固定物３の外郭が固定領域２９の外郭よりも大きいと、固定物３がベース部２の外周部分に接触して、ベース部２が対象物Ａから剥がれることが懸念される。めくり抑制部７によれば、このような場合において、ベース部２が対象物Ａから剥がれるのを抑制する。第二変形例に係る固定装置のめくり抑制部７は、固定物３の四隅に配置されている。めくり抑制部７は、固定物３ベース部が接触した際に接続状態が維持され難い材質によって構成することが好ましい。換言すると、めくり抑制部７は、固定物３ベース部２とくっつき難い材質によって構成することが好ましい。例えば、めくり抑制部７は、表面の抵抗がベース部２の表面よりも小さいシールによって構成することができる。
【００４８】
ここで、図１２Ｂは、ベース部が対象物から剥がれる様子を示す。図１２Ｂでは、ベース部２と固定物３が全て接着層７１を介して接続されている。一方、図１２Ｃでは、ベース部２と固定物３とが、一部、めくり抑制部７を介して接続され、その他は接着層７１を介して接続されている。図１２Ｂの例では、例えば風が強い場合、ベース部２と固定部３が接着された状態で双方が対象物Ａから剥がれてしまう。一方、図１２Ｃの例では、めくり抑制部７が設けられることで、固定物３がベース部２から剥がれるものの、ベース部２が対象物Ａから剥がれるのが抑制される。つまり、ベース部２と対象物Ａとの接続状態が維持することができる。
【００４９】
≪第三変形例≫
図１３は、第三変形例に係る固定装置を示す。第三変形例に係る固定装置１は、固定物３として、小物を引っ掛けるためのフック３１を備える。図１３の例では、固定物３としてのフック３１が３つ設けられている。固定物３としてのフック３１とベース部２の固定領域２９は、接着剤や両面テープなどにより接続することができる。第三変形例に係る固定装置は、対象物Ａに対して任意の「物」を引っ掛けるためのフック付き固定装置として機能させることができる。
【００５０】
≪第四変形例≫
図１４は、第四変形例に係る固定装置を示す。第四変形例に係る固定装置１は、固定物３として、小物を置くための台座８が設けられている。台座８は、軸部８１と軸部８１から伸びる３本の脚によって構成されている。下側に設けられた１本の脚８３は、上側に設けられた２本の脚８２よりも短く形成され、小物を置く載置部としての機能をもつ。上側に設けられた２本の脚８２は、載置された小物の転落を抑制する機能をもつ。なお、図１４の例では、ベース部２が、台座８の３本の脚の位置に対応させて、平面視三角形に形成されている。台座８の脚とベース部２との接続は、接着剤や両面テープによって行うことができる。第四変形例に係る固定装置は、対象物Ａに対して任意の「物」を置くための台
座付き固定装置として機能させることができる。
【００５１】
≪第五変形例≫
図１５は、第五変形例に係る固定装置を示す。第五変形例に係る固定装置１は、細長い貫通穴２１の長手方向の両端部の近傍に、円形の丸穴２８が夫々形成されている。この丸穴２８は、固定装置１の使用（特に、ベース部２を取り外す作業）により、細長い貫通穴２１が裂けて長くなることを抑制する。つまり、仮に細長い貫通穴２１が裂けた場合でも、丸穴２８により、それ以上裂けるのが抑制される。
【００５２】
≪第六変形例≫
図１６は、第六変形例に係る固定装置を示す。また、図１７は、第六変形例に係る固定装置を取り外す様子を示す。図１６に示すように、第六変形例に係る固定装置１は、本発明の切欠部に相当する細長い貫通孔２１に代えて、固定装置１を対象物Ａの接続面から取り外す際に把持する取り外し用の把持部２１ａが設けられている。取り外し用の把持部２１ａは、ベース部２の表面から突出することで形成されている。また、第六変形例に係る固定装置１は、取り外し用の把持部２１ａの近傍に、一定以上の力が働くとベース部２と対象物Ａとの間に空気を取り込むための空気の取り入れ孔１１が設けられている。対象物Ａが例えば薄いガラスである場合、ベース部２と対象物Ａとを無理に取り外そう（剥がそう）とすると、対象物Ａが破損することも懸念される。第六変形例に係る固定装置１では、ベース部２と対象物Ａを取り外す際、一定以上の力が働いた時点で、ベース部２と対象物Ａとの間に、空気の取り入れ孔１１から空気が取り入れられる。したがって、ベース部２と対象物Ａとの取り外しが容易となり、対象物Ａの破損を抑制できる。一定以上の力とは、ベース部２と対象物Ａとの固定状態を解除するために必要な力である。取り外し用の把持部２１ａは、ベース部２と一体的に形成してもよく、また、別部材とし、ベース部２に接続してもよい。
【００５３】
図１７の上図に示すように、一定の引く力では、空気の取り入れ孔１１の周囲が対象物Ａと接続されており、空気が取り込まれることはない。したがって、固定状態が維持される。しかしながら、図１７の下図に示すように、一定以上の引く力が働くと空気の取り入れ孔１１の周囲の一部が浮き上がり、空気の取り入れ孔１１が対象物Ａから離れる。その結果、空気の取り入れ孔１１から、ベース部２と対象物Ａとの間に空気が取り入れられる。したがって、ベース部２と対象物Ａとの取り外しが容易となり、対象物Ａの破損を抑制できる。
【００５４】
以上、本発明の好適な実施形態及び変形例について説明したが、本発明に係る固定装置、補助装置、及び固定方法はこれらに限らず、可能な限りこれらの組合せを含むことができる。
【符号の説明】
【００５５】
１・・・固定装置
２・・・ベース部
３・・・固定物
４・・・筒部
５、６・・・補助装置
７・・・めくり抑制部
８・・・台座
２１・・・貫通孔
２９・・・固定領域
３１・・・フック
Ａ・・・対象物
【図１】
2013095104.tif 000003
【図２】
2013095104.tif 000004
【図３】
2013095104.tif 000005
【図４】
2013095104.tif 000006
【図５】
2013095104.tif 000007
【図６】
2013095104.tif 000008
【図７】
2013095104.tif 000009
【図８】
2013095104.tif 000010
【図９】
2013095104.tif 000011
【図１０】
2013095104.tif 000012
【図１１】
2013095104.tif 000013
【図１２Ａ】
2013095104.tif 000014
【図１２Ｂ】
2013095104.tif 000015
【図１２Ｃ】
2013095104.tif 000016
【図１３】
2013095104.tif 000017
【図１４】
2013095104.tif 000018
【図１５】
2013095104.tif 000019
【図１６】
2013095104.tif 000020
【図１７】
2013095104.tif 000021